(57)【要約】【課題】同一の携帯端末を同じ通信方式であっても、送受信増幅利得設定が異なる通信サービスエリアで使用する場合に、送受話音を適切に調節すること。【解決手段】基地局からの報知情報により受信音声増幅手段（図５のスピーカ増幅器９、レシーバ増幅器１０）、送信音声増幅手段（図５のマイク増幅器１１）が設定すべき利得、および設定すべきサイドトーン手段のＯＮまたはＯＦＦを自動判定し、これらの増幅利得を調整し、サイドトーン手段をＯＮまたはＯＦＦに調整する。【選択図】図５
2008005043.tif 000002
【特許請求の範囲】
【請求項１】
受信手段により受信した信号を復調する復調手段と、
該復調手段により復調された信号を所定の通信方式に応じた手段により受信アナログ音声信号として取り出す音声信号化手段と、
該音声信号化手段により取り出された受信アナログ音声信号を増幅する受信音声増幅手段と、
該受信音声増幅手段により増幅された受信アナログ音声信号を音声に変換し出力する音声出力手段と、
音声を送信アナログ音声信号に変換する音声変換手段と、
該音声変換手段により変換された送信アナログ音声信号を増幅する送信音声増幅手段と、
該送信音声増幅手段により増幅された送信アナログ音声信号を前記所定の通信方式に応じた信号に変換処理する変換手段と、
該変換手段により変換された前記所定の通信方式に応じた信号を変調する変調手段と、
該変調手段により変調された送信信号を送信する送信手段と、
制御手段とを備え、
前記制御手段は、
基地局から送信されている報知情報を参照し、前記受信音声増幅手段および前記送信音声増幅手段の少なくとも一方に設定すべき利得を自動判定する手段と、
該自動判定する手段により判定された設定すべき利得に、前記受信音声増幅手段および前記送信音声増幅手段の少なくとも一方の利得を調整する増幅利得調整手段とを備える、携帯端末。
【請求項２】
前記送信音声増幅手段により増幅された送信アナログ音声信号を前記音声信号化手段により取り出された受信アナログ音声信号に付加するサイドトーン手段を、さらに備え、
前記制御手段は、
基地局から送信されている報知情報を参照し、設定すべき前記サイドトーン手段のＯＮまたはＯＦＦを自動判定するＯＮ−ＯＦＦ判定手段と、
該ＯＮ−ＯＦＦ判定手段により判定されたＯＮまたはＯＦＦに、前記サイドトーン手段を調整するサイドトーンＯＮ−ＯＦＦ制御手段とを、さらに備える、請求項１に記載の携帯端末。
【請求項３】
設定すべき利得パターンを複数種類記憶可能な記憶手段をさらに備え、
前記増幅利得調整手段は、前記自動判定する手段により判定された設定すべき利得を前記記憶手段に記憶されている利得パターンのうちから選択する、請求項１に記載の携帯端末。
【請求項４】
前記設定すべき利得と前記設定すべきサイドトーン手段のＯＮまたはＯＦＦとの組合せパターンを複数種類記憶可能な記憶手段をさらに備え、
前記増幅利得調整手段および前記サイドトーンＯＮ−ＯＦＦ制御手段は、前記自動判定する手段により判定された設定すべき利得と前記ＯＮ−ＯＦＦ判定手段により判定された設定すべきサイドトーン手段のＯＮまたはＯＦＦとの組合せパターンを前記記憶手段に記憶されている組合せパターンのうちから選択する、請求項２に記載の携帯端末。
【請求項５】
設定すべき利得パターンを書換え可能な記憶手段と、
前記自動判定する手段により判定された設定すべき利得のパターンが前記記憶手段に既に記憶されているか否かを判断する既記憶判断手段と、
前記既記憶判断手段が記憶されていないと判断した当該設定すべき利得のパターンを前記記憶手段に書込む書込手段とをさらに備え、
前記増幅利得調整手段は、前記自動判定する手段により判定された設定すべき利得を前記記憶手段に記憶されている利得パターンのうちから選択する、請求項１に記載の携帯端末。
【請求項６】
前記設定すべき利得と前記設定すべきサイドトーン手段のＯＮまたはＯＦＦとの組合せパターンを書換え可能な記憶手段と、
前記自動判定する手段により判定された設定すべき利得と前記ＯＮ−ＯＦＦ判定手段により判定された前記設定すべきサイドトーン手段のＯＮまたはＯＦＦとの組合せパターンが前記記憶手段に既に記憶されているか否かを判断する既記憶判断手段と、
前記既記憶判断手段が記憶されていないと判断した当該組合せパターンを前記記憶手段に書込む書込手段とをさらに備え、
前記増幅利得調整手段および前記サイドトーンＯＮ−ＯＦＦ制御手段は、前記自動判定する手段により判定された設定すべき利得と前記ＯＮ−ＯＦＦ判定手段により判定された設定すべきサイドトーン手段のＯＮまたはＯＦＦとの組合せパターンを前記記憶手段に記憶されている組合せパターンのうちから選択する、請求項２に記載の携帯端末。
【請求項７】
前記音声信号化手段は、
前記復調手段により復調された信号を逆拡散処理する逆拡散処理手段と、
該逆拡散処理手段により逆拡散処理されたデジタル信号よりアナログ音声信号を取り出すＤＡ音声信号化手段とを含み、
前記変換手段は、
前記送信音声増幅手段により増幅された送信アナログ音声信号を送信デジタル信号に変換するＡＤ音声信号化手段と、
該ＡＤ音声信号化手段により変換された送信デジタル信号を多重分割拡散処理する多重分割拡散処理手段とを含む、請求項１〜６のいずれかに記載の携帯端末。
【発明の詳細な説明】
【技術分野】
【０００１】
本発明は携帯端末に関し、より詳細には、この携帯端末を同じ通信方式でかつ送受話などのレベル設定が異なる通信サービスエリアでの使用に切替えた場合に、違和感のないレベル設定、およびサイドトーン設定に調整するシステムに関する。
【背景技術】
【０００２】
携帯端末の具体例として携帯電話を取上げ以下に説明する。まず、携帯電話について概略説明する。第1世代は、ある周波数で電波を使っている（つまり通話している）電話があると他の電話機がその周波数を使えない、という欠点を持ったアナログ携帯電話であり、第２世代のデジタル携帯電話となってから携帯電話が爆発的に普及した。日本では、ＰＤＣ方式（Personal Digital Cellular system）がその大多数を占めている。このＰＤＣ方式は、通話ノイズが少ない、建造物などに跳ね返った電波でもある程度までは使うことができる、通話を傍受されにくい、ひとつの周波数で多くの端末（電話機）が使える、電池の持ちがいいという特徴を備えている。このＰＤＣ方式には、８００ＭＨｚ帯を使うＰＤＣ８００方式と１．５ＧＨｚ帯を使うＰＤＣ１５００方式の２つがある。
【０００３】
ＰＤＣ方式は日本オリジナル方式であるため、基本的には日本でしか使われない。主にヨーロッパやアフリカ、アジア、オセアニアなど、２００１年６月時点で、１５１カ国、４１３のネットワーク、５億５４００万人のユーザを有する世界で最も普及しているデジタル携帯電話サービスとして、ＧＳＭ方式（Global System for Mobile Communications）がある。このＧＳＭ方式では、自分の持っている携帯電話の契約している事業者と、行った先の国の携帯電話事業者がローミング契約をしていれば、そのまま他の国でも、その携帯電話で発信したり、着信したりできる、簡単に言うと、携帯電話が国を越えての相互乗り入れする、グローバルローミング機能が充実している、という特長がある。国境も陸続きの部分が多く、国を越えた人の行き来も多いヨーロッパならではのことである。
【０００４】
ＧＳＭ方式には、使用する電波の周波数帯によっては３種類がある。北米以外でポピュラーなＧＳＭ９００（９００ＭＨｚ帯使用）、都市部からサービスが始まっている新しい方式のＧＳＭ１８００（１８００ＭＨｚ帯使用、ＤＣＳ１８００とも称されている。）、それに主に北米で使われているＧＳＭ１９００（１９００ＭＨｚ帯使用、ＰＣＳ１９００とも称されている。）である。
【０００５】
最近のＧＳＭ携帯電話ではＧＳＭ９００／１８００デュアルバンド機というものがあり、９００ＭＨｚ帯／１８００ＭＨｚ帯のどちらでも使えるようになっている。この電話機を使うと、ローミングしたときにこちらでは９００ＭＨｚ帯、あちらでは１８００ＭＨｚ帯と使うこともできる。また、同じ国の中でも、アジアの国などではＧＳＭ１８００をＧＳＭ９００の予備回線として使っていることもあって、この、デュアルバンド機には自動的に周波数帯と切替えて空いているほうで使うことができる機能を搭載したものもあるといわれている。
【０００６】
そして第３世代は次世代移動通信システム（ＩＭＴ−２０００：International Mobile Telecommunications 2000）以降の規格であり、高品質な会話、マルチメディアに対応できる高速データ転送が可能で、世界中どこでも使える携帯電話を実現しようとする規格であり、周波数帯は２ＧＨｚである。このＩＭＴ−２０００としては、日本でも採用されるＷ−ＣＤＭＡ（ＤＳ（Direct Spread）−ＣＤＭＡ：日欧方式）と、ｃｄｍａ２０００（ＭＣ（Multi-Carrier）−ＣＤＭＡ：米国方式）とがあり、その他、日本では採用されないＣＤＭＡ ＴＤＤ、ＴＤＭＡ Single-Carrier（拡張Ｄ−ＡＭＰＳ方式）、ＦＤＭＡ／ＴＤＭＡ（ＤＥＣＴ）もある。Ｗ−ＣＤＭＡ（ＤＳ−ＣＤＭＡ）方式は第２世代のＧＳＭ方式と、ｃｄｍａ２０００（ＭＣ−ＣＤＭＡ）は第２.５世代ともいわれているｃｄｍａＯｎｅと、それぞれ親和性の高い規格・システムになっている。
【０００７】
特許文献１には、低周波数側をＧＳＭ９００方式、高周波数側をＧＳＭ１８００（ＤＣＳ１８００）方式とした２つのシステムの信号を変調するための変調器と、所定の周波数の信号を発振する第１局所発振器と、第１局所発振器からの信号をＮ分周するＮ分周器と、第１局所発振器からの信号及び変調器からの信号により高周波側出力に変換する高周波側ミキサと、Ｎ分周された信号及び変調器からの信号により低周波側出力に変換する低周波側ミキサとを備えるデュアルバンド機が記載されている。
【０００８】
図１０に、従来のデュアルバンド機の携帯端末ブロック図を示している。受信側では、アンテナ１から希望信号の受信時、受信信号はアンテナ１からアンテナスイッチ３を通過し、適合する低周波数側無線部４又は高周波数側無線部５で復調信号に復調される。復調された信号は、逆拡散処理などを行なうＡＳＩＣ／ＤＳＰ６で展開され、送受話回路７の音声符号化処理部でアナログ信号に変換され、レシーバ増幅器１０で信号を増幅し、レシーバ１３から出力される。
【０００９】
また、送信側ではマイク１４から入力された信号はマイク増幅器１１で増幅され、送受話回路７の音声符号化処理部で処理され、多重分割拡散処理などを行なうＡＳＩＣ／ＤＳＰ６によりコード生成処理される。処理された被変調信号は、適合する低周波数側無線部４又は高周波数側無線部５により送信信号に変調され、アンテナスイッチ３を通過後、アンテナ１から送信される。
【００１０】
このように従来の携帯電話に用いられているデュアルバンド機の携帯端末は、１台の携帯端末で、複数周波数帯の携帯電話サービス（たとえば、ＧＳＭ９００方式とＧＳＭ１８００方式）に対する周波数帯の切替は可能であるが、送受話等のレベル調整は１系統しかなかった。
【特許文献１】特開平１１−１０３３２５号公報
【発明の開示】
【発明が解決しようとする課題】
【００１１】
従来のデュアルバンド機の携帯端末は、周波数帯の切替は可能であるが、送受話等のレベル調整は１系統しかなかった。このため、１台の携帯端末を同じ通信方式でかつ送受話等のレベル設定が異なる通信サービスエリアに（例えば、日本のＷ−ＣＤＭＡエリアから欧州のＷ−ＣＤＭＡエリアへ、または欧州のＷ−ＣＤＭＡエリアから日本のＷ−ＣＤＭＡエリアへ）移動した場合に、送受話のレベル調整が１系統しかない為、送受話音が小さい等の問題が生じる事があった。
【００１２】
すなわち、同じ通信方式であっても、各通信サービスエリアにより送受話などのレベル設定が異なる場合があるのに、従来のデュアルバンド機の携帯端末は、送受話などのレベル調整は１系統しかなく、利用する通信サービスエリア毎に音量調整の設定を切替える制御機能もなかった。このため、各通信サービスエリアのネットワークを利用する場合に、それぞれの通信サービスエリア毎に音量調整を設定することもできず、音声品質が低下する問題があった。
【００１３】
また、同じ通信方式であっても、通信サービスエリアによりサイドトーン制御有無の違いがあるのに、従来のデュアルバンド機の携帯端末は、送受話等のレベル調整は１系統しかなく、サイドトーン制御有無のエリア毎にサイドトーンのＯＮ／ＯＦＦを切替える制御機能もなかった。このため、サイドトーンなしの通信サービスエリア（日本のＷ−ＣＤＭＡエリアなど）と、サイドトーン有りの通信サービスエリア（欧州のＷ−ＣＤＭＡエリアなど）との各ネットワークを１台の携帯端末で利用したい場合は、サイドトーンなしの通信サービスエリアのネットワークを利用する場合でも、サイドトーン制御機能付の携帯端末を用いて、サイドトーン有りの状態で携帯端末を利用しなければならず、音声品質が低下する問題があった。
【００１４】
本発明は、同一の携帯端末を同じ通信方式であっても、送受話などのレベル設定が異なる通信サービスエリアで使用する場合に、違和感のないレベル設定や、サイドトーン設定が行なえる携帯端末の提供を目的とする。
【課題を解決するための手段】
【００１５】
本発明のある局面に係る携帯端末は、受信手段により受信した信号を復調する復調手段と、該復調手段により復調された信号を所定の通信方式に応じた手段により受信アナログ音声信号として取り出す音声信号化手段と、該音声信号化手段により取り出された受信アナログ音声信号を増幅する受信音声増幅手段と、該受信音声増幅手段により増幅された受信アナログ音声信号を音声に変換し出力する音声出力手段と、音声を送信アナログ音声信号に変換する音声変換手段と、該音声変換手段により変換された送信アナログ音声信号を増幅する送信音声増幅手段と、該送信音声増幅手段により増幅された送信アナログ音声信号を前記所定の通信方式に応じた信号に変換処理する変換手段と、該変換手段により変換された前記所定の通信方式に応じた信号を変調する変調手段と、該変調手段により変調された送信信号を送信する送信手段と、制御手段とを備え、前記制御手段は、基地局から送信されている報知情報を参照し、前記受信音声増幅手段および前記送信音声増幅手段の少なくとも一方に設定すべき利得を自動判定する手段と、該自動判定する手段により判定された設定すべき利得に、前記受信音声増幅手段および前記送信音声増幅手段の少なくとも一方の利得を調整する増幅利得調整手段とを備える。
【００１６】
これによって、携帯端末は基地局から送信されている報知情報を参照し、受信音声増幅手段および送信音声増幅手段の少なくとも一方に設定すべき利得を自動判定し、判定された設定すべき利得に受信音声増幅手段および送信音声増幅手段の少なくとも一方の利得を調整するために、送受話音が適切に調節される。
【００１７】
好ましくは、前記携帯端末は、前記送信音声増幅手段により増幅された送信アナログ音声信号を前記音声信号化手段により取り出された受信アナログ音声信号に付加するサイドトーン手段を、さらに備え、前記制御手段は、基地局から送信されている報知情報を参照し、設定すべき前記サイドトーン手段のＯＮまたはＯＦＦを自動判定するＯＮ−ＯＦＦ判定手段と、該ＯＮ−ＯＦＦ判定手段により判定されたＯＮまたはＯＦＦに、前記サイドトーン手段を調整するサイドトーンＯＮ−ＯＦＦ制御手段とを、さらに備える。
【００１８】
これによって、携帯端末はさらに、基地局から送信されている報知情報を参照し、設定すべきサイドトーン手段のＯＮまたはＯＦＦを自動判定し、サイドトーン手段をＯＮまたはＯＦＦに調整するために、送受話音が適切に調節される。
【００１９】
好ましくは、前記携帯端末は設定すべき利得パターンを複数種類記憶可能な記憶手段をさらに備え、前記増幅利得調整手段は、前記自動判定する手段により判定された設定すべき利得を前記記憶手段に記憶されている利得パターンのうちから選択する。
【００２０】
これによって、増幅利得調整手段が利得を調整するのが容易になる。すなわち、使用者が携帯端末を使用する通信サービスエリアは予め決まっている場合が多いため、予め決まっている通信サービスエリアにおける設定すべき利得パターンを記憶させておけばよい。
【００２１】
好ましくは、前記携帯端末は前記設定すべき利得と前記設定すべきサイドトーン手段のＯＮまたはＯＦＦとの組合せパターンを複数種類記憶可能な記憶手段をさらに備え、前記増幅利得調整手段および前記サイドトーンＯＮ−ＯＦＦ制御手段は、前記設定すべき利得を自動判定する手段により判定された設定すべき利得と前記ＯＮ−ＯＦＦ判定手段により判定された設定すべきサイドトーン手段のＯＮまたはＯＦＦとの組合せパターンを前記記憶手段に記憶されている組合せパターンのうちから選択する。
【００２２】
これによって、増幅利得調整手段による利得調整およびサイドトーンＯＮ−ＯＦＦ制御手段によるサイドトーン手段のＯＮまたはＯＦＦ設定が容易になる。すなわち、使用者が携帯端末を使用する通信サービスエリアは予め決まっている場合が多いため、予め決まっている通信サービスエリアにおける設定すべき利得と設定すべきサイドトーン手段のＯＮまたはＯＦＦとの組合せを記憶させておけばよい。
【００２３】
好ましくは、前記携帯端末は設定すべき利得パターンを書換え可能な記憶手段と、前記自動判定する手段により判定された設定すべき利得のパターンが前記記憶手段に既に記憶されているか否かを判断する既記憶判断手段と、前記既記憶判断手段が記憶されていないと判断した当該設定すべき利得のパターンを前記記憶手段に書込む書込手段とをさらに備え、前記増幅利得調整手段は、前記自動判定する手段により判定された設定すべき利得を前記記憶手段に記憶されている利得パターンのうちから選択する。
【００２４】
これによって、自動判定する手段により判定された設定すべき利得のパターンが既に記憶されている利得パターンにないときは、当該設定すべき利得のパターンを記憶手段に新たな利得パターンとして記憶させることができる。増幅利得調整手段は、自動判定する手段により判定された設定すべき利得を記憶手段に記憶されている利得パターンのうちから選択することができる。
【００２５】
好ましくは、前記携帯端末は前記設定すべき利得と前記設定すべきサイドトーン手段のＯＮまたはＯＦＦとの組合せパターンを書換え可能な記憶手段と、前記自動判定する手段により判定された設定すべき利得と前記ＯＮ−ＯＦＦ判定手段により判定された前記設定すべきサイドトーン手段のＯＮまたはＯＦＦとの組合せパターンが前記記憶手段に既に記憶されているか否かを判断する既記憶判断手段と、前記既記憶判断手段が記憶されていないと判断した当該組合せパターンを前記記憶手段に書込む書込手段とをさらに備え、前記増幅利得調整手段および前記サイドトーンＯＮ−ＯＦＦ制御手段は、前記自動判定する手段により判定された設定すべき利得と前記ＯＮ−ＯＦＦ判定手段により判定された設定すべきサイドトーン手段のＯＮまたはＯＦＦとの組合せパターンを前記記憶手段に記憶されている組合せパターンのうちから選択する。
【００２６】
これによって、自動判定する手段により判定された設定すべき利得とＯＮ−ＯＦＦ判定手段により判定された設定すべきサイドトーン手段のＯＮまたはＯＦＦとの組合せパターンが既に記憶されている組合せパターンにないときは、当該組合せパターンを記憶手段に新たな組合せパターンとして記憶させることができる。増幅利得調整手段およびサイドトーンＯＮ−ＯＦＦ制御手段は、自動判定する手段により判定された設定すべき利得とＯＮ−ＯＦＦ判定手段により判定された設定すべきサイドトーン手段のＯＮまたはＯＦＦとの組合せパターンを記憶手段に記憶されている組合せパターンのうちから選択することができる。
【００２７】
好ましくは、前記音声信号化手段は、前記復調手段により復調された信号を逆拡散処理する逆拡散処理手段と、該逆拡散処理手段により逆拡散処理されたデジタル信号よりアナログ音声信号を取り出すＤＡ音声信号化手段とを含み、前記変換手段は、前記送信音声増幅手段により増幅された送信アナログ音声信号を送信デジタル信号に変換するＡＤ音声信号化手段と、該ＡＤ音声信号化手段により変換された送信デジタル信号を多重分割拡散処理する多重分割拡散処理手段とを含む。
【００２８】
これによって、受信時には復調された信号が逆拡散処理され、デジタル信号よりアナログ音声信号が取り出される。送信時には増幅された送信アナログ音声信号が送信デジタル信号に変換され、多重分割拡散処理される。これはＷ−ＣＤＭＡ通信方式に対応した処理である。
【発明の効果】
【００２９】
同じ通信方式で送受話の音量などの設定すべき利得が異なる通信サービスエリアに移動した場合でも利得調整やサイドトーン設定が自動で行なわれるため、その通信サービスに適した音量、音質で通話を聞くことが可能となる。
【発明を実施するための最良の形態】
【００３０】
以下、本発明の実施形態について図面を参照しながら説明する。なお、符号は、従来技術も含め、相当する構成にすべて同一の符号を付している。
【００３１】
［第１実施形態］
図１は、本実施形態における通信サービスエリア切替による自動レベル調整設定パス１５を有する携帯端末のブロック図である。受信側では、アンテナ１より受信された信号は、ＷＣＤＭＡ無線部２で復調信号に復調され、逆拡散処理等を行なうＡＳＩＣ／ＤＳＰ６で展開される。この時、制御用ＣＰＵ８の通信方式判定部は、ネットワークの基地局から送信されている報知情報(ＢＣＣＨチャネル)内のネットワーク識別情報を参照し、設定すべきレベルを自動判定し、判定した設定すべきレベルをレベル調整設定パス１５に送信する。
【００３２】
通信方式判定部からの設定すべきレベルを受信したレベル調整設定パス１５は、レベル調整設定パス１５内に備える記憶部内に記憶されているレベル調整設定のうちから受信した設定すべきレベルに合致するレベル調整設定を選択し、レシーバ増幅器１０およびマイク増幅器１１に所望のレベルを設定する。レベル調整設定パス１５に備える記憶部内には複数個のレベル調整設定が記憶されている。このレベル設定については、詳しく後述する。ＡＳＩＣ／ＤＳＰ６で展開された信号は、送受話回路７の音声符号化処理部でアナログ信号に変換され、レシーバ増幅器１０で信号を増幅し、レシーバ１３から出力される。
【００３３】
図１において、レシーバ１３は携帯端末の通話時に通話者（使用者）が耳にあてて受話音を聞くための受話器である。また、スピーカ１２は音楽などを使用者が携帯端末を耳にあてることなく離して聞くためのものである。通常、送受話回路７からのアナログ信号出力はレシーバ増幅器１０にて増幅しレシーバ１３に出力される。しかし、送受話回路７からのアナログ信号出力をスピーカ増幅器９にて増幅しスピーカ１２に出力させる場合に送受話回路７からのアナログ信号出力を切替えるための切替スイッチを図示していないが、別途備えている。
【００３４】
制御ＣＰＵ８の通信方式判定部では、ネットワークの基地局から送信されている報知情報（ＢＣＣＨチャネル）内のネットワーク識別情報を参照し、サービスを受ける通信サービスに適合するレベル設定を自動的に判定する。レベル調整設定パス１５は、判定されたレベルに該当するレベル調整設定を記憶部内に記憶されているレベル調整設定のうちから選択し、設定すべきレベルをマイク増幅器１１に自動的に設定する。送信側では、マイク１４からの音声信号は、適合するレベル設定に調整されたマイク増幅器１１で増幅され、送受話回路７の音声符号化処理部で符号化され、多重分割拡散処理などを行なうＡＳＩＣ／ＤＳＰ６によりコード生成処理される。処理された被変調信号は、ＷＣＤＭＡ無線部２により送信信号に変調されアンテナ１より送信される（図１参照）。
【００３５】
レベル調整設定パス１５内に備える記憶部内には、ＷＣＤＭＡ１（日本国内におけるＷ−ＣＤＭＡ）用レベル調整設定パス、ＷＣＤＭＡ２（ヨーロッパにおけるＷ−ＣＤＭＡ）用レベル調整設定パス、ＷＣＤＭＡ３（その他の地域におけるＷ−ＣＤＭＡ）用レベル調整設定パス、の３つのレベル調整設定（複数の設定すべき利得パターン）が記憶されている。
【００３６】
ここでは、仮に上記のように日本国内、ヨーロッパ、その他の地域において供給されるＷ−ＣＤＭＡ方式のサービスがそれぞれ異なる音量調整レベルであるとして、その供給を受ける地域に応じて音量などのレベル調整を可能とするためにＷＣＤＭＡ１〜３用レベル調整設定を記憶するものである。
【００３７】
これは同じＷ−ＣＤＭＡ方式が供給される通信サービスエリアによって必要とされる音量などのレベル調整設定が異なる場合に、供給される通信サービスエリアに必要とされるレベル設定毎に、レベル調整設定をレベル調整設定パス１５内に備える記憶部に記憶させておくものである。具体的には送信時のマイク１４からの音声入力を増幅するマイク増幅器１１の利得と、受信時に復調された音声信号をレシーバ１３から音声出力するために増幅するレシーバ増幅器１０の利得とを、当該通信サービスエリアではいくらに設定すべきかである。ここではＷＣＤＭＡ１用レベル調整設定が送信時のマイク増幅器１１の利得を５に、受信時のレシーバ増幅器１０の利得も５に設定（後述するネットワーク網（１）の通信サービスエリアが該当する。）し、ＷＣＤＭＡ２用レベル調整設定が送信時のマイク増幅器１１の利得を４に、受信時のレシーバ増幅器１０の利得を６に設定する（後述するネットワーク網（２）の通信サービスエリアが該当する。）ものとしておく。
【００３８】
携帯端末がネットワークにアクセスしたときに、その音量などのレベル調整をどのレベルに設定すべきかを、携帯端末は図１の制御用ＣＰＵ８の中に備える通信方式判定部で、ネットワークの基地局から送信されている報知情報（ＢＣＣＨチャネル）内のネットワーク識別情報を参照して解析する。解析した設定すべきレベルをレベル調整設定パス１５に送信する。通信方式判定部からの設定すべきレベルを受信したレベル調整設定パス１５は、レベル調整設定パス１５内に備える記憶部内に記憶されているレベル調整設定のうちから受信した設定すべきレベルに合致するレベル調整設定を選択する。
【００３９】
今、報知情報を解析した結果が、マイク増幅器１１の利得を５に、レシーバ増幅器１０の利得も５に設定すべきであった場合は、このレベル設定（増幅利得設定）にＷＣＤＭＡ１用レベル調整設定が合致する。そこでレベル調整設定パス１５はＷＣＤＭＡ１用レベル調整設定を用いてマイク増幅器１１の利得を５に、レシーバ増幅器１０の利得を５に、自動的に設定する。
【００４０】
このように設定すべきレベルパターンを記憶部に複数種類記憶させておき、報知情報(ＢＣＣＨチャネル)から設定すべきレベルを自動判定し、判定された設定すべきレベルを記憶部に記憶されているレベルパターンのうちから選択する。このためマイク増幅器１１、レシーバ増幅器１０のレベル（増幅利得）を設定すべきレベルに調整するのが容易になる。
【００４１】
使用者が携帯端末を使用する通信サービスエリアは予め決まっている場合が多いため、予め決まっている通信サービスエリアにおける設定すべきレベル（増幅利得）パターンをレベル調整設定パス１５内に備える記憶部内に記憶させておけばよい。この記憶部は不揮発性のメモリであることが望ましい。この記憶部への複数種類のレベル調整設定を予め記憶させる方式には、いくつかの方法が考えられる。
【００４２】
その１は、携帯端末のサービス事業者が、使用者と携帯端末のサービス契約したときに、当該携帯端末が使用可能な通信方式と同一の通信方式であるが送受話などのレベル設定が異なる他の通信サービスエリアにおける設定すべきレベルのパターンを記憶部に記憶させた携帯端末を使用者に手渡す方法である。この場合当該サービス事業者がローミング契約している他のサービス事業者の通信サービスエリア分のみのレベルパターンを記憶させるようにしてもよい。その２は、携帯端末の製造メーカが製造時に、携帯端末の使用が予想される通信サービスエリアのレベルパターンを記憶させた携帯端末を出荷する方法である。
【００４３】
その３は、設定すべきレベルが生じる毎に、設定すべきレベルのパターンを携帯端末の記憶部に自動的に記憶させていく方法である。記憶部の記憶容量が心配なら、過去Ｎ年間使用されない設定すべきレベルのパターンを記憶部から自動的に消去することにすればよい。極端な言い方をすれば、記憶容量は１つの設定すべきレベルのパターンしか記憶できないものでもよい。送受話などのレベル設定が異なる他の通信サービスエリアにて使用する毎に設定すべきレベルのパターンを記憶させればよいからである。
【００４４】
この設定すべきレベルのパターンを記憶部に自動的に記憶させていく方法の携帯端末の制御部においては、設定すべきレベル（利得）パターンを書換え可能なＥＥＰＲＯＭなどからなる記憶部と、通信方式判定部がＢＣＣＨチャネルを解析して自動的に判定した設定すべきレベル（利得）のパターンが記憶部に既に記憶されているか否かを判断する判断手段と、この判断手段が記憶されていないと判断した、新たな設定すべきレベル（利得）のパターンを記憶部に書込む書込手段とを備えることが必要である。そして必要ならば、記憶部に記憶されている設定すべきレベルパターンの最新使用日時を記憶させ、過去２年間使用されない設定すべきレベルパターンを記憶部から自動的に消去するとか、記憶部における設定すべきレベルパターンの記憶容量が残り少なくなると、自動的に最新使用日時の古い設定すべきレベルパターンを記憶部から自動的に消去するなどの記憶消去手段も備えるものである。
【００４５】
なお、上記のように携帯端末が通信サービスエリアにアクセスする毎に、通信方式判定部が報知情報を解析し設定すべき音量などのレベルを求める代りに、通信方式判定部が通信サービスエリアを確認すれば、自動的にどのＷＣＤＭＡ用レベル調整設定（設定すべきレベルパターン）を使用すべきかを決定できるようにすることもできる。
【００４６】
たとえば、○○サービスエリア〜○△サービスエリアであればＷＣＤＭＡ１用レベル調整設定を、△△サービスエリア〜△×でサービスエリアあればＷＣＤＭＡ２用レベル調整設定を、××サービスエリア〜×○サービスエリアであればＷＣＤＭＡ３用レベル調整設定をというようにするものである。
【００４７】
このためには、使用が予定される通信サービスエリアの報知情報からその通信サービスエリアにおける設定すべき音量などのレベル設定を予め求めて記憶させておけばよい。この場合には、通信サービスエリアにおける設定すべき音量などのレベル設定が変更された場合は変更後の設定すべき音量などのレベル設定に更新する手段を備えておくことも必要となる。
【００４８】
図２は、２つの通信サービスエリアのそれぞれのネットワーク網において供給される通信サービスをそれぞれの携帯端末で受ける場合を示している。図２において、ネットワーク網（１）には携帯端末Ａと携帯端末Ｂとが接続されている。ネットワーク網（２）には携帯端末Ｃと携帯端末Ｄとが接続されている。ネットワーク網（１）、（２）とも同じＷ−ＣＤＭＡ方式であるが、ネットワーク網（１）ではサイドトーン無しの設定となっているのに、ネットワーク網（２）ではサイドトーン有りの設定となっている。
【００４９】
また、ネットワーク網（１）では、送信時のマイク１４からの音声入力を増幅するマイク増幅器１１の利得を５に、受信時に受信し復調された音声信号をレシーバ１３から音声出力するために増幅するレシーバ増幅器１０の利得も５に設定する通信サービスエリアである。ネットワーク網（２）では、送信時のマイク１４からの音声入力を増幅するマイク増幅器１１の利得を４に、受信時に受信し復調された音声信号をレシーバ１３から音声出力するために増幅するレシーバ増幅器１０の利得を６に設定する通信サービスエリアである。
【００５０】
図３は、図２に示すネットワーク網（１）に、さらに、図２に示すネットワーク網（２）で使用していた携帯端末Ｃを持ち込み、通信サービスを受ける場合を想定した図である。なお、サイドトーン設定については、第２実施形態で後述するため、ここでは触れない。ネットワーク網（１）では、上記したように送信時のマイク増幅器１１の利得を５に、受信時のレシーバ増幅器１０の利得も５に設定する通信サービスエリアである。しかし携帯端末Ｃはネットワーク網（２）で使用していたために、送信時のマイク増幅器１１の利得を４に、受信時のレシーバ増幅器１０の利得を６に設定されていた。携帯端末Ｃをネットワーク網（１）で使用するためには、ネットワーク網（１）の利得設定（レベル設定）にする必要がある。
【００５１】
携帯端末Ｃはネットワーク網（１）にアクセスすると、ネットワーク（１）の基地局から送信されている報知情報（ＢＣＣＨチャネル）内のネットワーク識別情報を参照し、制御用ＣＰＵの中に備える通信方式判定部（図１参照）で、ネットワーク網（１）のレベル設定はどのタイプであるかを自動判定し、判定した設定すべきレベルをレベル調整設定パス１５に送信する。通信方式判定部からの設定すべきレベルを受信したレベル調整設定パス１５は、レベル調整設定パス１５内に備える記憶部内に記憶されているレベル調整設定のうちから受信した設定すべきレベルに合致するレベル調整設定を選択し、レシーバ増幅器１０およびマイク増幅器１１に所望のレベルを設定する。レベル調整設定パス１５に備える記憶部内には複数個のレベル調整設定が記憶されている。
【００５２】
今、図１に示すＷＣＤＭＡ１用レベル調整設定が上記したネットワーク網（１）の利得設定（レベル設定）に合致するとしたとき、レベル調整設定パス１５は、ＷＣＤＭＡ１用レベル調整設定を選択し、レシーバ増幅器１０およびマイク増幅器１１に所望のレベルを設定する。すなわち、レベル調整設定パス１５はマイク増幅器１１の利得をそれまでの４から５に、レシーバ増幅器１０の利得をそれまでの６から５に、自動的に設定する。なお、図３の端末Ｃにおいて、判定部と記載されているのは図１の制御用ＣＰＵ８内の通信方式判定部のことである。
【００５３】
次に、ネットワーク網（１）で使用していた携帯端末Ｂをネットワーク網（２）に持ち込み使用する場合について説明する。図４は、図２に示すネットワーク網（２）に、さらに、図２に示すネットワーク網（１）で使用していた携帯端末Ｂを持ち込み、通信サービスを受ける場合を想定した図である。なお、サイドトーン設定については、第２実施形態で後述するため、ここでも触れない。
【００５４】
ネットワーク網（２）では、上記したように送信時のマイク増幅器１１の利得を４に、受信時のレシーバ増幅器１０の利得を６に設定する通信サービスエリアである。しかし携帯端末Ｂはネットワーク網（１）で使用していたために、送信時のマイク増幅器１１の利得を５に、受信時のレシーバ増幅器１０の利得も５に設定されていた。携帯端末Ｂをネットワーク網（２）で使用するためには、ネットワーク網（２）の利得設定（レベル設定）にする必要がある。
【００５５】
携帯端末Ｂはネットワーク網（２）にアクセスすると、ネットワーク（２）の基地局から送信されている報知情報（ＢＣＣＨチャネル）内のネットワーク識別情報を参照し、制御用ＣＰＵの中に備える通信方式判定部（図１参照）で、ネットワーク網（２）のレベル設定はどのレベルであるかを自動判定し、判定した設定すべきレベルをレベル調整設定パス１５に送信する。通信方式判定部からの設定すべきレベルを受信したレベル調整設定パス１５は、レベル調整設定パス１５内に備える記憶部内に記憶されているレベル調整設定のうちから受信した設定すべきレベルに合致するレベル調整設定を選択し、レシーバ増幅器１０およびマイク増幅器１１に所望のレベルを設定する。レベル調整設定パス１５に備える記憶部内には複数個のレベル調整設定が記憶されている。
【００５６】
今、図１に示すＷＣＤＭＡ２用レベル調整設定パスが上記したネットワーク網（２）の利得設定（レベル設定）に合致するとしたとき、レベル調整設定パス１５は、ＷＣＤＭＡ２用レベル調整設定を選択し、レシーバ増幅器１０およびマイク増幅器１１に所望のレベルを設定する。すなわち、レベル調整設定パス１５はマイク増幅器１１の利得をそれまでの５から４に、レシーバ増幅器１０の利得をそれまでの５から６に、自動的に設定する。
【００５７】
図８は上記のレベル調整設定をフローチャートにした図である。まず携帯端末がネットワークにアクセスされ（Ｓ１）、ＢＣＣＨチャネルを受信したとき（Ｓ２）、通信方式判定部は、受信したＢＣＣＨチャネルの内容を解析してアクセスしているネットワークでは、利得レベルを如何に設定すべきかを調べ（Ｓ３）、解析した設定すべき利得レベルをレベル調整設定パス１５に送信する（Ｓ４）。レベル調整設定パス１５は調べ上げた設定すべき利得レベルの内容を受取り、この利得レベルに合致するレベル調整設定パターンを選択する。すなわち、記憶部に記憶されているＷＣＤＭＡ１〜３用レベル調整設定のうちのいずれが設定すべき利得レベルの内容に合致するか照合して、該当するレベル調整設定を選択する（Ｓ５）。レベル調整設定パス１５は、選択したレベル調整設定パターンを用いてレシーバ増幅器１０、マイク増幅器１１の利得レベルを調整する（Ｓ６）。上記のように、通信サービスを受けるネットワーク網に適合したレベル設定（増幅利得設定）が行なわれる。
【００５８】
［第２実施形態］
第１実施形態では、同じＷ−ＣＤＭＡ方式が供給される通信サービスエリアであっても、通信サービスエリアによって必要とされる音量などのレベル設定が異なる場合において、ＷＣＤＭＡ１〜３用レベル調整設定（複数のレベル調整設定パターン）を備えることで、サービスを受ける通信サービスエリアに適合した音量などのレベル設定に自動的に調整される携帯端末を説明した。この第２実施形態では、第１実施形態の音量レベル設定の自動調整機能に加えて、さらに、サイドトーン設定もサービスを受ける通信サービスエリアに適合した設定に合わせて自動的にＯＮ−ＯＦＦ調整する機能を備えた携帯端末について説明する。
【００５９】
なお、サイドトーンとは、通話時に自分の声をループバックさせ、自分の携帯端末から出力させることをいう。すなわち、図２、図４のネットワーク（２）における端末Ｃ、端末Ｄにおいてはそれぞれ、マイク１４からの通話者の発した音声がマイク増幅器１１で増幅された送信アナログ音声信号を、送受話回路７でレシーバ増幅器１０に向かう受信アナログ音声信号に一部ループバック（付加）して通話者が、自分の発した音声を聞けるようになっている。
【００６０】
アナログ回線で使用される家庭用アナログ電話機では同一の線で送話信号と受話信号の２つの通話信号を伝送している。そのため受話回路はこのライン上の信号から送話信号を減算して受話信号を取り出している。ところが、この減算は理想的には行なわれ難く、受話信号には送話信号がかなり混入する。つまり送話者には受話器から自分の声がかなり聞こえることになる。
【００６１】
このサイドトーンは送話者の発声を楽にする良い効果がある。このため原則的にサイドトーンがないデジタル携帯電話機よりアナログ電話機の方が話しやすいといわれる大きな理由である。しかしこの効果を除けばサイドトーンは害でしかない。たとえばサイドトーンの大きな電話機では受話音をあまり大きくできない。受話音を大きくするとマイクから入った音が受話スピーカーから出て、それがまたマイクに入ると言うことを繰り返してブー、或いはピーというハウリングを起こすからである。
【００６２】
また、第３世代（３Ｇ）移動体通信システムの標準化プロジェクトによる移動体通信システムの標準規格である、３ＧＰＰ（3rd Generation Partnership Project）のＴＳ２６．１３１には、サイドトーンの遮蔽定格（The talker sidetone masking rating）が１８±５ｄＢと規定されている。
【００６３】
図５は、本実施形態における通信サービスエリア切替による自動レベル調整パスおよびサイドトーン設定パスを有する携帯端末のブロック図である。受信側では、アンテナ１より受信された信号は、ＷＣＤＭＡ無線部２で復調信号に復調され、逆拡散処理等を行なうＡＳＩＣ／ＤＳＰ６で展開される。この時、制御用ＣＰＵ８の通信方式判定部は、ネットワークの基地局から送信されている報知情報(ＢＣＣＨチャネル)内のネットワーク識別情報を参照し、設定すべきレベル（増幅レベル）およびサイドトーン設定を有効にすべきか否かを自動判定し、レベル調整／サイドトーン設定パス１６に設定すべきレベルおよびサイドトーン設定を有効にすべきか否かの判定結果を送信する。
【００６４】
通信方式判定部から設定すべき判定結果を受けたレベル調整／サイドトーン設定パス１６は、レシーバ増幅器１０およびマイク増幅器１１に所望のレベルを設定し、送受話回路７におけるサイドトーンを有効または無効に設定する。レベル調整／サイドトーン設定パス１６の記憶部には複数個のレベル調整／サイドトーン設定の組合せパターンが記憶されている。このレベル設定については、第１実施形態で説明した内容と同じである。サイドトーン設定（自動ＯＮ−ＯＦＦ）については詳しく後述する。ＡＳＩＣ／ＤＳＰ６で展開された信号は、送受話回路７の音声符号化処理部でアナログ信号に変換され、レシーバ増幅器１０で信号を増幅し、レシーバ１３から出力される。
【００６５】
制御ＣＰＵ８の通信方式判定部では、ネットワークの基地局から送信されている報知情報（ＢＣＣＨチャネル）内のネットワーク識別情報を参照し、サービスを受ける通信サービスに適合するレベル設定／サイドトーン設定を自動的に判定する。通信方式判定部は、設定すべきレベルおよびサイドトーン設定を有効にすべきか否かの判定結果をレベル調整／サイドトーン設定パス１６に送信する。
【００６６】
通信方式判定部から設定すべき判定結果を受けたレベル調整／サイドトーン設定パス１６は、レシーバ増幅器１０およびマイク増幅器１１に所望のレベルを自動的に設定し、送受話回路７におけるサイドトーンを有効または無効に自動的に設定する。レベル調整／サイドトーン設定パス１６の記憶部には複数個のレベル調整／サイドトーン設定の組合せパターンが記憶されている。送信側では、マイク１４からの音声信号は、適合するレベル設定に調整されたマイク増幅器１１で増幅され、送受話回路７の音声符号化処理部で符号化され、多重分割拡散処理などを行なうＡＳＩＣ／ＤＳＰ６によりコード生成処理される。処理された被変調信号は、ＷＣＤＭＡ無線部２により送信信号に変調されアンテナ１より送信される（図５参照）。
【００６７】
レベル調整／サイドトーン設定パス１６内に備える記憶部内には、ＷＣＤＭＡ１（日本国内におけるＷ−ＣＤＭＡ）用レベル調整設定パス、ＷＣＤＭＡ２（ヨーロッパにおけるＷ−ＣＤＭＡ）用レベル調整設定パス、ＷＣＤＭＡ３（その他の地域におけるＷ−ＣＤＭＡ）用レベル調整設定パス、の３つのレベル調整／サイドトーン設定（複数の設定すべき利得とサイドトーン設定の組合せパターン）が記憶されている。
【００６８】
ここでは、仮に上記のように日本国内、ヨーロッパ、その他の地域において供給されるＷ−ＣＤＭＡ方式のサービスがそれぞれ異なる音量調整レベル／サイドトーン設定であるとして、その供給を受ける地域に応じて音量レベル調整／サイドトーン設定を可能とするためにＷＣＤＭＡ１〜３用レベル調整／サイドトーン設定を記憶するものである。
【００６９】
これは同じＷ−ＣＤＭＡ方式が供給される通信サービスエリアによって必要とされる音量などのレベル調整／サイドトーン設定が異なる場合に、供給される通信サービスエリアを音量などのレベル調整／サイドトーン設定毎に記憶させておくものである。
【００７０】
具体的には、音量などのレベル調整については、送信時のマイク１４からの音声入力を増幅するマイク増幅器１１の利得と、受信時に受信し復調された音声信号をレシーバ１３から音声出力するために増幅するレシーバ増幅器１０の利得とを、当該サービスエリアではいくらに設定すべきかである。また、サイドトーン設定については、当該通信サービスエリアではサイドトーン設定すべきか否かである。
【００７１】
ここではＷＣＤＭＡ１用レベル調整／サイドトーン設定は、レベル調整が送信時のマイク増幅器１１の利得を５に、受信時のレシーバ増幅器１０の利得も５に設定し、サイドトーン設定を無効（ＯＦＦ）にし（後述するネットワーク網（１）の通信サービスエリアが該当する。）、ＷＣＤＭＡ２用レベル調整／サイドトーン設定は、レベル調整が送信時のマイク増幅器１１の利得を４に、受信時のレシーバ増幅器１０の利得を６に設定し、サイドトーン設定を有効にする（後述するネットワーク網（２）の通信サービスエリアが該当する。）ものとしておく。
【００７２】
携帯端末がネットワークにアクセスしたときに、その音量レベル調整をどのレベルに設定すべきか、およびサイドトーン設定すべきか否かを、携帯端末は図５の制御用ＣＰＵ８の中に備える通信方式判定部で、ネットワークの基地局から送信されている報知情報（ＢＣＣＨチャネル）内のネットワーク識別情報を参照して解析する。解析した設定すべきレベルとサイドトーン設定とをレベル調整／サイドトーン設定パス１６に送信する。通信方式判定部からの設定すべきレベルとサイドトーン設定とを受信したレベル調整／サイドトーン設定パス１６は、レベル調整／サイドトーン設定パス１６内に備える記憶部内に記憶されているレベル調整設定とサイドトーン設定との組合せパターンのうちから受信した設定すべきレベルとサイドトーン設定に合致するレベル調整設定とサイドトーン設定との組合せパターンを選択する。
【００７３】
今、報知情報を解析した結果が、音量などのレベル調整については、マイク増幅器１１の利得を５に、レシーバ増幅器１０の利得も５に設定すべきであり、サイドトーン設定は無効にすべきと判明した場合は、このレベル設定およびサイドトーン設定有無にＷＣＤＭＡ１用レベル調整／サイドトーン設定が合致する。そこでレベル調整／サイドトーン設定パス１６はＷＣＤＭＡ１用レベル調整／サイドトーン設定を用いてマイク増幅器１１の利得を５に、レシーバ増幅器１０の利得を５に自動的に設定し、送受話回路７にサイドトーン設定を無効に自動的に設定する。
【００７４】
このように設定すべきレベルとサイドトーン設定との組合せパターンを記憶部に複数種類記憶させておき、報知情報(ＢＣＣＨチャネル)から設定すべきレベルを自動判定し、判定された設定すべきレベルを記憶部に記憶されている組合せパターンのうちから選択する。このためマイク増幅器１１、レシーバ増幅器１０のレベル（増幅利得）を設定すべきレベルに調整し、送受話回路７にサイドトーン設定するのが容易になる。
【００７５】
使用者が携帯端末を使用する通信サービスエリアは予め決まっている場合が多いため、予め決まっている通信サービスエリアにおける設定すべきレベル（増幅利得）とサイドトーン設定との組合せパターンをレベル調整／サイドトーン設定パス１６内に備える記憶部内に記憶させておけばよい。この記憶部は不揮発性のメモリであることが望ましい。この記憶部への複数種類のレベル調整設定を予め記憶させる方式には、いくつかの方法が考えられる。
【００７６】
その１は、携帯端末のサービス事業者が、使用者と携帯端末のサービス契約したときに、当該携帯端末が使用可能な通信方式と同一の通信方式であるが送受話などのレベル設定が異なる他の通信サービスエリアにおける設定すべきレベルとサイドトーン設定との組合せパターンを記憶部に記憶させた携帯端末を使用者に手渡す方法である。この場合当該サービス事業者がローミング契約している他のサービス事業者の通信サービスエリア分のみのレベルパターンを記憶させるようにしてもよい。その２は、携帯端末の製造メーカが製造時に、携帯端末の使用が予想される通信サービスエリアのレベルとサイドトーン設定との組合せパターンを記憶させた携帯端末を出荷する方法である。
【００７７】
その３は、設定すべきレベルが生じる毎に、設定すべきレベルとサイドトーン設定との組合せパターンを携帯端末の記憶部に自動的に記憶させていく方法である。記憶部の記憶容量が心配なら、過去Ｎ年間使用されない設定すべきレベルのパターンを記憶部から自動的に消去することにすればよい。極端な言い方をすれば、記憶容量は１つの設定すべきレベルとサイドトーン設定との組合せパターンしか記憶できないものでもよい。送受話などのレベル設定が異なる他の通信サービスエリアにて使用する毎に設定すべきレベルのパターンを記憶させればよいからである。
【００７８】
この設定すべきレベルとサイドトーン設定との組合せパターンを記憶部に自動的に記憶させていく方法の携帯端末の制御部においては、設定すべきレベル（利得）とサイドトーン設定との組合せパターンを書換え可能なＥＥＰＲＯＭなどからなる記憶部と、通信方式判定部がＢＣＣＨチャネルを解析して自動的に判定した設定すべきレベルとサイドトーン設定との組合せパターンが記憶部に既に記憶されているか否かを判断する判断手段と、この判断手段が記憶されていないと判断した、新たな設定すべきレベルとサイドトーン設定との組合せのパターンを記憶部に書込む書込手段とを備えることが必要である。そして必要ならば、記憶部に記憶されている設定すべきレベルとサイドトーン設定との組合せパターンの最新使用日時を記憶させ、過去２年間使用されない設定すべきレベルとサイドトーン設定との組合せパターンを記憶部から自動的に消去するとか、記憶部における設定すべきレベルとサイドトーン設定との組合せパターンの記憶容量が残り少なくなると、自動的に最新使用日時の古い設定すべきレベルとサイドトーン設定との組合せパターンを記憶部から自動的に消去するなどの記憶消去手段も備えるものである。
【００７９】
なお、上記のように携帯端末が通信サービスエリアにアクセスする毎に、通信方式判定部が報知情報を解析し設定すべき音量レベル／サイドトーン設定有無判断を求める代りに、通信方式判定部が通信サービスエリアを確認すれば、自動的にどのＷＣＤＭＡ用レベル調整／サイドトーン設定（設定すべきレベルとサイドトーン設定との組合せパターン）を使用すべきかを決定できるようにすることもできる。
【００８０】
たとえば、○○サービスエリア〜○△サービスエリアであればＷＣＤＭＡ１用レベル調整／サイドトーン設定を、△△サービスエリア〜△×でサービスエリアあればＷＣＤＭＡ２用レベル調整／サイドトーン設定を、××サービスエリア〜×○サービスエリアであればＷＣＤＭＡ３用レベル調整／サイドトーン設定をというようにするものである。
【００８１】
このためには、使用が予定される通信サービスエリアの報知情報からその通信サービスエリアにおける音量などのレベル設定／サイドトーン設定有無を予め求めて記憶させておけばよい。この場合には、通信サービスエリアにおける音量などのレベル設定／サイドトーン設定有無が変更された場合は変更後の音量レベル設定／サイドトーン設定に更新する手段を備えておくことも必要となる。
【００８２】
図６は、図２に示すネットワーク網（１）に、さらに、図２に示すネットワーク網（２）で使用していた携帯端末Ｃを持ち込み、通信サービスを受ける場合を想定した図である。ネットワーク網（１）では、上記したように音量などのレベル調整については、送信時のマイク増幅器１１の利得を５に、受信時のレシーバ増幅器１０の利得も５に設定し、サイドトーン設定を無効（ＯＦＦ）にする通信サービスエリアである。しかし携帯端末Ｃはネットワーク網（２）で使用していたために、送信時のマイク増幅器１１の利得を４に、受信時のレシーバ増幅器１０の利得を６に設定され、サイドトーンが有効（ＯＮ）に設定されていた。携帯端末Ｃをネットワーク網（１）で使用するためには、ネットワーク網（１）の利得設定（レベル設定）にし、サイドトーンを無効（ＯＦＦ）に設定する必要がある。
【００８３】
携帯端末Ｃはネットワーク網（１）にアクセスすると、ネットワーク（１）の基地局から送信されている報知情報（ＢＣＣＨチャネル）内のネットワーク識別情報を参照し、制御用ＣＰＵ８の中に備える通信方式判定部（図５参照）で、ネットワーク網（１）のレベル設定はどのレベルであるか、サイドトーンを設定すべきか否かを自動判定し、判定した設定すべきレベルとサイドトーン設定とをレベル調整／サイドトーン設定パス１６に送信する。通信方式判定部からの設定すべきレベルとサイドトーン設定とを受信したレベル調整／サイドトーン設定パス１６は、レベル調整／サイドトーン設定パス１６内に備える記憶部内に記憶されているレベル調整設定とサイドトーン設定との組合せパターンのうちから受信した設定すべきレベルとサイドトーン設定に合致するレベル調整設定とサイドトーン設定との組合せパターンを選択する。
【００８４】
今、図５に示すＷＣＤＭＡ１用レベル調整／サイドトーン設定が上記したネットワーク網（１）の利得設定（レベル設定）／サイドトーン設定に合致するとしたとき、レベル調整／サイドトーン設定パス１６はＷＣＤＭＡ１用レベル調整／サイドトーン設定を選択し、マイク増幅器１１の利得をそれまでの４から５に、レシーバ増幅器１０の利得をそれまでの６から５に設定（調整）し、送受話回路７におけるサイドトーンを有効（ＯＮ）から無効（ＯＦＦ）に変更する。なお、図６の端末Ｃにおいて、判定部と記載されているのは図５の制御用ＣＰＵ８内の通信方式判定部のことである。
【００８５】
次に、ネットワーク網（１）で使用していた携帯端末Ｂをネットワーク網（２）に持ち込み使用する場合について説明する。図７は、図２に示すネットワーク網（２）に、さらに、図２に示すネットワーク網（１）で使用していた携帯端末Ｂを持ち込み、通信サービスを受ける場合を想定した図である。
【００８６】
ネットワーク網（２）では、上記したように音量などのレベル調整については、送信時のマイク増幅器１１の利得は４、受信時のレシーバ増幅器１０の利得は６に設定し、サイドトーンを有効（ＯＮ）に設定する通信サービスエリアである。しかし携帯端末Ｂはネットワーク網（１）で使用していたために、音量などのレベル調整については、送信時のマイク増幅器１１の利得を５に、受信時のレシーバ増幅器１０の利得も５に設定されていた。携帯端末Ｂをネットワーク網（２）で使用するためには、ネットワーク網（２）の利得設定（レベル設定）にし、サイドトーンを有効（ＯＮ）に設定する必要がある。
【００８７】
携帯端末Ｂはネットワーク網（２）にアクセスすると、ネットワーク（２）の基地局から送信されている報知情報（ＢＣＣＨチャネル）内のネットワーク識別情報を参照し、制御用ＣＰＵの中に備える通信方式判定部（図５参照）で、ネットワーク網（２）のレベル設定はどのタイプであるか、サイドトーンを設定すべきか否かを自動判定し、判定した設定すべきレベルとサイドトーン設定とをレベル調整／サイドトーン設定パス１６に送信する。通信方式判定部からの設定すべきレベルとサイドトーン設定とを受信したレベル調整／サイドトーン設定パス１６は、レベル調整／サイドトーン設定パス１６内に備える記憶部内に記憶されているレベル調整設定とサイドトーン設定との組合せパターンのうちから受信した設定すべきレベルとサイドトーン設定に合致するレベル調整設定とサイドトーン設定との組合せパターンを選択する。
【００８８】
今、図５に示すＷＣＤＭＡ２用レベル調整／サイドトーン設定が上記したネットワーク網（２）の利得設定（レベル設定）／サイドトーン設定に合致するとしたとき、レベル調整／サイドトーン設定パス１６はＷＣＤＭＡ２用レベル調整／サイドトーン設定を選択し、マイク増幅器１１の利得をそれまでの５から４に、レシーバ増幅器１０の利得をそれまでの５から６に設定し、送受話回路７におけるサイドトーンを無効（ＯＦＦ）から有効（ＯＮ）に変更する。
【００８９】
図９は上記のレベル調整／サイドトーン設定をフローチャートにした図である。まず携帯端末がネットワークにアクセスされ（Ｓ１１）、ＢＣＣＨチャネルを受信したとき（Ｓ１２）、通信方式判定部は、受信したＢＣＣＨチャネルの内容を解析してアクセスしているネットワークでは、利得レベルをいかに設定すべきか、およびサイドトーン設定を有効（ＯＮ）にすべきか無効（ＯＦＦ）にすべきかを調べ（Ｓ１３）、解析した設定すべき利得レベルとサイドトーン設定とをレベル調整設定パス１５に送信する（Ｓ１４）。レベル調整／サイドトーン設定パス１６は調べ上げた設定すべき利得レベルおよびサイドトーン設定の内容を受取り、この利得レベルとサイドトーン設定とに合致するレベル調整／サイドトーン設定組合せパターンを選択する。すなわち、記憶部に記憶されているＷＣＤＭＡ１〜３用レベル調整／サイドトーン設定（組合せパターン）のうちのいずれが設定すべき利得レベルとサイドトーン設定との内容に合致するか照合して、該当するレベル調整／サイドトーン設定組合せパターンを選択する（Ｓ１５）。レベル調整／サイドトーン設定パス１６は、選択したレベル調整／サイドトーン設定組合せパターンを用いてレシーバ増幅器１０、マイク増幅器１１の利得レベルを調整し、サイドトーン設定をＳ１３で解析された設定すべき状態に調整する（Ｓ１６）。上記のように、通信サービスを受けるネットワーク網に適合したレベル設定（増幅利得設定）／サイドトーン設定が行なわれる。
【００９０】
上記の第２実施形態では、単にサイドトーン設定を有効（ＯＮ）にすべきか無効（ＯＦＦ）にすべきかについてのみ記載しているが、サイドトーン設定を有効（ＯＮ）にする場合は、さらに、送信音声増幅手段（図５のマイク増幅器１１）により増幅された送信アナログ音声信号を音声信号化手段により取り出された受信アナログ音声信号にループバック（付加）する割合、すなわちサイドトーン音量調節を可能とするようにしてもよい。
【００９１】
上記の第１実施形態、第２実施形態では、基地局からの報知情報により受信音声増幅手段（図１、図５のスピーカ増幅器９、レシーバ増幅器１０）および送信音声増幅手段（図１、図５のマイク増幅器１１）の設定すべき利得を自動判定し、これら両方の増幅利得を調整することにより、送受話音を適切に調節する例を記載している。しかし、必ずしも受信音声増幅手段と送信音声増幅手段との両方の設定すべき利得を自動判定し、これら両方の増幅利得を調整することが必須であるとは限らない。
【００９２】
受信音声増幅手段の設定すべき利得のみを自動判定し、この受信音声増幅手段のみ増幅利得を調整することも考えられる。たとえば、送信音声を必要レベルにさえしておけば、受信側における受信音声増幅手段の増幅利得のみ調整すれば通話品質を保つことは可能である。逆に送信音声増幅手段の設定すべき利得を自動判定し、この送信音声増幅手段のみ増幅利得を調整することも考えられる。送信音声増幅手段の増幅利得をきちんと調整しておけば、敢えて受信側で受信音声増幅手段の増幅利得を調整することなく、通話できる場合も考えられるし、受信側における受信音声増幅手段の増幅利得のことは受信側に任せればよい。
【００９３】
実施形態１、実施形態２では、通信方式としてＷ−ＣＤＭＡ方式の場合で記載している。しかし、いずれの通信方式を採用した場合であっても、本発明を採用できる。すなわち、本発明の携帯端末は基地局からの報知情報により受信音声増幅手段（図１、図５のスピーカ増幅器９、レシーバ増幅器１０）、送信音声増幅手段（図１、図５のマイク増幅器１１）の設定すべき利得、設定すべきサイドトーン手段のＯＮ（有効化）またはＯＦＦ（無効化）を自動判定し、これらの増幅利得を調整し、サイドトーン手段をＯＮまたはＯＦＦに調整することにより、送受話音を適切に調節するものである。このように本発明は通信方式によって限定されるものではない。
【００９４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００９５】
【図１】本発明の第１実施形態に係る、自動レベル調整パスを有する携帯端末のブロック図である。
【図２】携帯端末によるネットワーク構成を説明する図である。
【図３】本発明の第１実施形態に係る通信サービスエリア切替時を説明する図である。
【図４】本発明の第１実施形態に係る通信サービスエリア切替時を説明する図である。
【図５】は本発明の第２実施形態に係る自動レベル調整／サイドトーン設定パスを有する携帯端末のブロック図である。
【図６】本発明の第２実施形態に係る通信サービスエリア切替時を説明する図である。
【図７】本発明の第２実施形態に係る通信サービスエリア切替時を説明する図である。
【図８】本発明の第１実施形態に係る通信サービスエリア切替時のフローチャートである。
【図９】本発明の第２実施形態に係る通信サービスエリア切替時のフローチャートである。
【図１０】従来の複数周波数帯対応の携帯端末のブロック図である。
【符号の説明】
【００９６】
１  アンテナ、２  ＷＣＤＭＡ無線部、３  アンテナスイッチ、４  低周波数側無線部、５  高周波数側無線部、６  ＡＳＩＣ／ＤＳＰ、７  送受話回路、８  制御用ＣＰＵ、９  スピーカ増幅器、１０  レシーバ増幅器、１１  マイク増幅器、１２  スピーカ、１３  レシーバ、１４  マイク、１５  レベル調整設定パス、１６  レベル調整／サイドトーン設定パス。
【図１】
2008005043.tif 000003
【図２】
2008005043.tif 000004
【図３】
2008005043.tif 000005
【図４】
2008005043.tif 000006
【図５】
2008005043.tif 000007
【図６】
2008005043.tif 000008
【図７】
2008005043.tif 000009
【図８】
2008005043.tif 000010
【図９】
2008005043.tif 000011
【図１０】
2008005043.tif 000012